(57)【特許請求の範囲】
【請求項１】
背面壁と左右上下側壁とからなるアウトレットボックスを覆う箱状のＸ線防護カバーを組み立てるための鉛板からなる平板状のＸ線防護カバー部材であって、
アウトレットボックスの背面壁を覆う背面板と、背面板の左右側縁に沿った折れ線を介して連設され、左右側壁を覆う左右側板と、背面板の下端縁に沿った折れ線を介して連設され、下側壁を覆う下側板と、左右各側板の外側縁及び下側板の下端縁に夫々沿った折れ線を介して連設された鍔板と、下側板の左右端縁又は左右各側板の下端縁に沿った折れ線を介して連設されたフラップと、左右各側板、下側板及びフラップを夫々折れ線沿いに内側へ直角に折り返すと共に鍔板を折れ線沿いに外側へ直角に折り返して箱状Ｘ線防護カバーを形成する時に、フラップを左右側板又は下側板に接着させる接着部材とからなるアウトレットボックス用の平板状Ｘ線防護カバー部材。
【請求項２】
前記側板の何れかには、アウトレットボックスの配線用ホース貫通孔に合致する位置に貫通孔表示部を設けてなる請求項１に記載のアウトレットボックス用の平板状Ｘ線防護カバー部材。
【請求項３】
左右各側板の鍔板と下側板の鍔板とは、その一方の鍔板が当該側板長さと同じで、他方の鍔板が当該側板の長さより略鍔板の幅分だけ両端縁から突出するように形成されていて、左右側板、下側板及びフラップを夫々折れ線沿いに内側へ直角に折り返すと共に鍔板を折れ線沿いに外側へ直角に折り返した時に、対向する一方の鍔板の端部の端縁が他方の鍔板の端部の側縁に当接して、この当接状態で双方の鍔板の対向端部に亘って接着部材が接着されるようになっている請求項１又は２に記載のアウトレットボックス用の平板状Ｘ線防護カバー部材。
【請求項４】
背面壁と左右上下側壁とからなるアウトレットボックスを覆う箱状のＸ線防護カバーを組み立てるための鉛板からなる平板状のＸ線防護カバー部材であって、
アウトレットボックスの背面壁を覆う背面板と、背面板の左右側縁に沿った折れ線を介して連設され、左右側壁を覆う左右側板と、背面板の上下端縁に沿った折れ線を介して連設され、上下側壁を覆う上下側板と、左右各側板の外側縁及び上下各側板の上下各端縁に夫々沿った折れ線を介して連設された鍔板と、上下各側板の左右端縁又は左右各側板の上下各端縁に沿った折れ線を介して連設されたフラップと、左右側板、上下側板及びフラップを夫々折れ線沿いに内側へ直角に折り返すと共に鍔板を折れ線沿いに外側へ直角に折り返して箱状Ｘ線防護カバーを形成する時に、フラップを左右側板又は上下側板に接着させる接着部材とからなるアウトレットボックス用の平板状Ｘ線防護カバー部材。
【請求項５】
前記側板の何れかには、アウトレットボックスの配線用ホース貫通孔に合致する位置に貫通孔表示部を設けてなる請求項４に記載のアウトレットボックス用の平板状Ｘ線防護カバー部材。
【請求項６】
左右各側板の鍔板と上下各側板の鍔板とは、その一方の鍔板が当該側板長さと同じで、他方の鍔板が当該側板の長さより略鍔板の幅分だけ両端縁から突出するように形成されていて、左右側板、上下側板及びフラップを夫々折れ線沿いに内側へ直角に折り返すと共に鍔板を折れ線沿いに外側へ直角に折り返した時に、対向する一方の鍔板の端部の端縁が他方の鍔板の端部の側縁に当接して、この当接状態で双方の鍔板の対向端部に亘って接着部材が接着されるようになっている請求項４又は５に記載のアウトレットボックス用の平板状Ｘ線防護カバー部材。
【請求項７】
少なくとも背面板及び左右上下側板には、夫々外向きに膨出する補強リブを左右方向及び又は上下方向に条設してなる請求項１〜６の何れかに記載のアウトレットボックス用の平板状Ｘ線防護カバー部材。
【発明の詳細な説明】
【技術分野】
【０００１】
本発明は、屋内配線に用いられるアウトレットボックスをレントゲン室のようにＸ線の透過される建物壁部に設置する場合に、Ｘ線がそのアウトレットボックス部分から室外に漏れないように保護するＸ線防護カバーに関するもので、特に本発明は、平板状の展開形状に形成されていて、実際に使用する設置現場で箱状のＸ線防護カバーに組み立てられるようになっている平板状Ｘ線防護カバー部材に関する。
【背景技術】
【０００２】
図７はアウトレットボックス１と従来のＸ線防護カバー５１を示す。アウトレットボックス１は、例えば耐衝撃性の樹脂で一体成形されたもので、背面壁２と左右側壁３，３と上下側壁４，５とからなり、例えば右側壁３及び上側壁４には夫々配線用ホース貫通孔２０が設けられる。そして、Ｘ線防護カバー５１は、鉛板をプレス加工することによって、アウトレットボックス１の背面壁２を覆う背面板５２と、同ボックス１の左右側壁３，３を覆う左右側板５３，５３と、左右両側板５３，５３から夫々外側に突出する鍔板５６，５６とを一体に成形し、これに、同様に鉛板のプレス加工により一体形成した下側板５５及び鍔板５８を溶接により接合して、図７の(a) に示すような三周壁（アウトレットボックス１の左右側壁３，３及び下側壁５）覆いタイプのカバーに形成したものである。尚、片方の側板５３にはアウトレットボックス１の側壁３に設けてある配線用ホース貫通孔２０に合致する位置に貫通孔６１が設置現場において開口される。
【０００３】
取付けにあたって、図７の(b) に示すように、アウトレットボックス１をＸ線防護カバー５１内に嵌め込んで、ビス５７を、ボックス１の背面壁２に設けられたビス挿通孔２ａからＸ線防護カバー５１の背面板５２のビス挿通孔５２ａに通し、間柱（図示せず）間に横架されたボックス支持部材５９のビスねじ込み用スリット５９ａにねじ込むことにより、Ｘ線防護カバー５１をこれに内嵌したアウトレットボックス１と共にボックス支持部材５９に取付け固定するようにしている。
【発明の概要】
【発明が解決しようとする課題】
【０００４】
上記のように従来のＸ線防護カバーは、あらかじめ鉛板によってアウトレットボックスを覆う箱状に一体に形成されているため、この箱状カバーを車に積んで運搬したり、倉庫等に保管する際には非常に嵩張って、車の積載効率が悪く、荷崩れを起こし易く、倉庫等では余分に広いスペースが必要となる。また鉛板は柔らかいため、箱状カバーを多段状に積み重ねた場合、自重によって変形し易く、運搬時の振動等によっても変形し易い。
【０００５】
本発明は、上記の事情に鑑み、運搬、保管に便利で、車での積載効率、倉庫等での保管効率が良く、運搬時等に変形するおそれのないアウトレットボックス用の平板状Ｘ線防護カバー部材を提供することを目的とする。
【課題を解決するための手段】
【０００６】
上記課題を解決するための手段を、後述する実施形態の参照符号を付して説明すると、請求項１に係る発明は、背面壁２と左右上下側壁３，３，４，５とからなるアウトレットボックス１を覆う箱状のＸ線防護カバー２１Ａ，２１Ｂを組み立てるための鉛板からなる平板状のＸ線防護カバー部材１１Ａ，１１Ｂであって、
アウトレットボックス１の背面壁２を覆う背面板１２と、背面板１２の左右側縁に沿った折れ線２２，２２を介して連設され、左右側壁３，３を覆う左右側板１３，１３と、背面板１２の下端縁に沿った折れ線２４を介して連設され、下側壁５を覆う下側板１５と、左右各側板１３の外側縁及び下側板１５の下端縁に夫々沿った折れ線２５，２７を介して連設された鍔板７，９と、下側板１５の左右端縁又は左右各側板１３の下端縁に沿った折れ線２８を介して連設されたフラップ１０と、左右各側板１３、下側板１５及びフラップ１０を夫々折れ線２２，２４，２８沿いに内側へ直角に折り返すと共に鍔板７，９を折れ線２５，２７沿いに外側へ直角に折り返して箱状Ｘ線防護カバー２１Ａ，２１Ｂを形成する時に、フラップ１０を左右側板１３又は下側板１５に接着させる接着部材２９とからなることを特徴とする。
【０００７】
請求項２は、請求項１に記載のアウトレットボックス用の平板状Ｘ線防護カバー部材１１Ａ，１１Ｂにおいて、前記側板１３，１５の何れかには、アウトレットボックス１の配線用ホース貫通孔２０に合致する位置に貫通孔表示部１７を設けてなることを特徴とする。
【０００８】
請求項３は、請求項１又は２に記載のアウトレットボックス用の平板状Ｘ線防護カバー部材１１Ａ，１１Ｂにおいて、左右各側板１３の鍔板７と下側板１５の鍔板９とは、その一方の鍔板７が当該側板１３の長さと同じで、他方の鍔板９が当該側板１５の長さより略鍔板９の幅分だけ両端縁から突出するように形成されていて、左右側板１３、下側板１５及びフラップ１０を夫々折れ線２２，２４，２８沿いに内側へ直角に折り返すと共に鍔板７，８，９を折れ線２５，２７沿いに外側へ直角に折り返した時に、対向する一方の鍔板７の端部の端縁７ａが他方の鍔板９の端部の側縁９ａに当接し、この当接状態で双方の鍔板７，９の対向端部に亘って接着部材３０が接着されるようになっていることを特徴とする。
【０００９】
請求項４に係る発明は、背面壁２と左右上下側壁３，３，４，５とからなるアウトレットボックス１を覆う箱状のＸ線防護カバー２１Ｃを組み立てるための鉛板からなる平板状のＸ線防護カバー部材１１Ｃであって、
アウトレットボックス１の背面壁２を覆う背面板１２と、背面板１２の左右側縁に沿った折れ線２２，２２を介して連設され、左右側壁３，３を覆う左右側板１３，１３と、背面板１２の上下端縁に沿った折れ線２３，２４を介して連設され、上下側壁４，５を覆う上下側板１４，１５と、左右各側板１３の外側縁及び上下各側板１４，１５の上下各端縁に夫々沿った折れ線２５，２６，２７を介して連設された鍔板７，８，９と、上下各側板１４，１５の左右端縁又は左右各側板１３の上下各端縁に沿った折れ線２８を介して連設されたフラップ１０と、左右側板１３、上下側板１４，１５及びフラップ１０を夫々折れ線２２，２３，２４，２８沿いに内側へ直角に折り返すと共に鍔板７，８，９を折れ線２５，２６，２７沿いに外側へ直角に折り返して箱状Ｘ線防護カバー２１Ｃを形成する時に、フラップ１０を左右側板１３，１３又は上下側板１４，１５に接着させる接着部材２９とからなることを特徴とする。
【００１０】
請求項５は、請求項４に記載のアウトレットボックス用の平板状Ｘ線防護カバー部材１１Ｃにおいて、前記側板１３，１４，１５の何れかには、アウトレットボックス１の配線用ホース貫通孔２０に合致する位置に貫通孔表示部１７を設けてなることを特徴としている。
【００１１】
請求項６は、請求項４又はに記載のアウトレットボックス用の平板状Ｘ線防護カバー部材１１Ｃにおいて、左右各側板１３の鍔板７と上下各側板１４，１５の鍔板８，９とは、その一方の鍔板７が当該側板１３の長さと同じで、他方の鍔板８，９が当該側板１４，１５の長さより略鍔板８，９の幅分だけ両端縁から突出するように形成されていて、左右側板１３，１３、上下側板１４，１５及びフラップ１０を夫々折れ線２２，２３，２４，２８沿いに内側へ直角に折り返すと共に鍔板７，８，９を折れ線２５，２６，２７沿いに外側へ直角に折り返した時に、対向する一方の鍔板７の端部の端縁７ａが他方の鍔板８，９の端部の側縁８ａ，９ａに当接し、この当接状態で双方の鍔板７と８，９の対向端部に亘って接着部材３０が接着されるようになっていることを特徴とする。
【００１２】
請求項７は、請求項１〜６の何れかに記載のアウトレットボックス用の平板状Ｘ線防護カバー部材１１Ａ，１１Ｂ，１１Ｃにおいて、少なくとも背面板１２及び左右上下側板１３，１４，１５には、夫々外向きに膨出する補強リブ１９を左右方向及び又は上下方向に条設してなることを特徴とする。
【発明の効果】
【００１３】
上記解決手段による発明の効果を、後述する実施形態の参照符号を付して説明すると、請求項１に係る発明は、アウトレットボックス１の背面壁２を覆う背面板１２と、背面板１２の左右側縁に沿った折れ線２２，２２を介して連設され、左右側壁３，３を覆う左右側板１３，１３と、背面板１２の下端縁に沿った折れ線２４を介して連設され、下側壁５を覆う下側板１５と、左右各側板１３の外側縁及び下側板１５の下端縁に夫々沿った折れ線２５，２７を介して連設された鍔板７，９と、下側板１５の左右端縁又は左右各側板１３の下端縁に沿った折れ線を介して連設されたフラップ１０と、左右各側板１３、下側板１５及びフラップ１０を夫々折れ線２２，２４，２８沿いに内側へ直角に折り返すと共に７，９を折れ線２５，２７沿いに外側へ直角に折り返して箱状Ｘ線防護カバー２１Ａを形成する時にフラップ１０を左右側板１３又は下側板１５に接着させる接着部材２９とによって構成される、鉛板からなる平板状のＸ線防護カバー部材１１Ａ，１１Ｂであるため、これを車で運搬したり、倉庫等に保管する時には、この平板状のまま多数枚積み重ねても、変形したり、荷崩れすることがなく、積載効率、保管効率が非常に良好となり、そしてアウトレットボックス１の設置現場での組立ても簡単容易に行うことができる。
【００１４】
請求項２に記載の発明のように、側板１３，１５の何れかに、アウトレットボックス１の側壁３，５に設けられた配線用ホース貫通孔２０に合致する位置に貫通孔表示部１７を設けておくことによって、設置現場において、アウトレットボックス１の配線用ホース貫通孔２０に対応する所要の貫通孔３２を側板１３，１５に容易に開口できる。
【００１５】
請求項３に係る発明の平板状のＸ線防護カバー部材１１Ａ，１１Ｂによれば、箱状Ｘ線防護カバー２１Ａ，２１Ｂに組み立てる際に、対向する一方の鍔板７の端部の端縁７ａが他方の鍔板９の端部の側縁９ａに当接した状態で双方の鍔板７，９の対向端部に亘って接着部材３０を接着することにより、左右側板１３，１３の鍔板７，７と下側板１５の鍔板９との３つの鍔板７，７，９をコ字状に連続させることができると共に、それらを面一状に保持することができる。
【００１６】
請求項４に係る発明によれば、アウトレットボックス１の背面壁２を覆う背面板１２と、背面板１２の左右側縁に沿った折れ線２２，２２を介して連設され、左右側壁３，３を覆う左右側板１３，１３と、背面板１２の上下端縁に沿った折れ線２３，２４を介して連設され、上下側壁４，５を覆う上下側板１４，１５と、左右各側板１３の外側縁及び上下各側板１４，１５の上下各端縁に夫々沿った折れ線２５，２６，２７を介して連設された鍔板７，８，９と、上下各側板１４，１５の左右端縁又は左右各側板１３の上下各端縁に沿った折れ線２８を介して連設されたフラップ１０と、左右側板１３、上下側板１４，１５及びフラップ１０を夫々折れ線２２，２３，２４，２８沿いに内側へ直角に折り返すと共に鍔板７，８，９を折れ線２５，２６，２７沿いに外側へ直角に折り返して箱状Ｘ線防護カバー２１Ｃを形成する時に、フラップ１０を左右側板１３，１３又は上下側板１４，１５に接着させる接着部材２９とによって構成される、鉛板からなる平板状のＸ線防護カバー部材１１Ｃであるため、これを車で運搬したり、倉庫等に保管する時には、この平板状のまま多数枚積み重ねても、変形したり、荷崩れすることがなく、積載効率、保管効率が非常に良好となり、そしてアウトレットボックス１の設置現場での組立ても簡単容易に行うことができる。
【００１７】
請求項５に記載の発明のように、側板１３，１４，１５の何れかに、アウトレットボックス１の側壁３，４，５に設けられた配線用ホース貫通孔２０に合致する位置に貫通孔表示部１７を設けておくことによって、設置現場において、アウトレットボックス１の配線用ホース貫通孔２０に対応する所要の貫通孔３２を側板１３，１４，１５に容易に開口することができる。
【００１８】
請求項６に係る発明によれば、対向する一方の鍔板７の端部の端縁７ａが他方の鍔板８，９の端部の側縁８ａ，９ａに当接し、この当接状態で双方の鍔板７と８，９の対向端部に亘って接着部材３０を接着することにより、左右側板１３，１３の鍔板７，７及び上下側板１４，１５の鍔板８，９の４つの鍔板７，７，８，９を方形枠状に連続させることができると共に、それらを面一状に保持することができる。
【００１９】
請求項７に係る発明によれば、平板状Ｘ線防護カバー部材１１Ａ，１１Ｂ，１１Ｃを形成する鉛板は、板厚が２ｍｍ程度でも柔らかく変形し易いため、側板１３等を折り返す時に折れ線２２等以外の部分まで不都合に折れ曲がることがあるが、少なくとも背面板１２及び左右上下側板１３，１４，１５に夫々外向きに膨出する補強リブ１９を左右方向及び又は上下方向に条設することにより、必要な板部のみを的確に折り返すことができる。
【図面の簡単な説明】
【００２０】
【図１】本発明に係るアウトレットボックス用の平板状Ｘ線防護カバー部材を示す平面図である。
【図２】(a) は図１のＡ−Ａ線拡大断面図であり、(b) は図１のＢ−Ｂ線拡大断面図である。
【図３】図１に示す平板状Ｘ線防護カバー部材を箱状に組み立てた状態のＸ線防護カバーとこれに嵌め込まれるアウトレットボックスを示す斜視図である。
【図４】(a) は本発明に係る他のアウトレットボックス用の平板状Ｘ線防護カバー部材を示す平面図、(b) は(a) のＣ−Ｃ線拡大断面図、(c) は(a) のＤ−Ｄ線拡大断面図である。
【図５】本発明に係る他のアウトレットボックス用の平板状Ｘ線防護カバー部材を示す平面図である。
【図６】図５に示す平板状Ｘ線防護カバー部材を箱状に組み立ててＸ線防護カバーとした状態斜視図である。
【図７】(a) ，(b) はアウトレットボックスと従来のＸ線防護カバーを示す斜視図である。
【発明を実施するための形態】
【００２１】
以下に本発明の好適な一実施形態を図面に基づいて説明すると、図１に示すアウトレットボックス用のＸ線防護カバー部材１１Ａは、図３に示すような背面壁２と左右上下側壁４，５とからなるアウトレットボックス１を覆う箱状Ｘ線防護カバー２１Ａを組み立てるための、板厚が例えば２ｍｍの鉛板で形成された平板状のＸ線防護カバー部材であって、アウトレットボックス１の三周壁（左右側壁３，３及び下側壁５）を覆うタイプのカバー部材である。即ち、このＸ線防護カバー部材１１Ａは、アウトレットボックス１の背面壁２を覆う背面板１２と、この背面板１２の左右側縁に沿った折れ線２２，２２を介して連設され、アウトレットボックス１の左右側壁３，３を覆う左右側板１３，１３と、背面板１２の下端縁に沿った折れ線２４を介して連設され、アウトレットボックス１の下側壁５を覆う下側板１５と、左右各側板１３の外側縁に沿った折れ線２５，２５及び下側板１６の下端縁に夫々沿った折れ線２７を介して夫々連設された鍔板７，７，９と、下側板１５の左右端縁に沿った折れ線２８，２８を介して連設されたフラップ１０，１０とからなり、各フラップ１０の夫々内面には、左右各側板１３、下側板１５及びフラップ１０を夫々折れ線２２，２４，２８沿いに内側へ直角に折り返すと共に鍔板７，９を折れ線２５，２７沿いに外側へ直角に折り返して図３に示すような箱状Ｘ線防護カバー２１Ａを形成する時に、各フラップ１０を左右各側板１３の外面に接着させる両面粘着テープ２９（接着部材）が貼着されている。
【００２２】
各折れ線２２，２４，２５，２７は、図２の(a) ，(b) に示すように、背面板１２、側板１３、下側板１５、鍔板７，９及びフラップ１０相互間において、折り返される側に凹溝が形成されて、その反対側が凸条部となっているから、図２の(a) の仮想線図示のように、左右各側板１３はその折れ線２２に沿って内側へ直角に容易に折り返すことができ、下側板１５は折れ線２４に沿って内側へ直角に容易に折り返すことができ、鍔板７，９は夫々折れ線２５，２７に沿って外側へ直角に容易に折り返すことができ、またフラップ１０は折れ線２８に沿って内側へ直角に容易に折り返すことができる。
【００２３】
各フラップ１０の内面側に貼着される両面粘着テープ２９（接着部材）は、図２の(b) に示すように、基材２９ａとこれの両面にある粘着層２９ｂ，２９ｂと両粘着層２９ｂ，２９ｂの両側の剥離紙２９ｃ，２９ｃとからなるもので、図２の(b) では、片側の剥離紙２９ｃを剥がして反対側の粘着層２９ｂをフラップ１０の内面に接着させた状態となっている。
【００２４】
また図１に示すように、左右各側板１３の鍔板７はその長さが側板１３の長さと略同じであるが、下側板１５の鍔板９はその長さが下側板１５の長さより略鍔板９の幅分だけ両端縁から夫々突出するように形成されていて、左右側板１３、下側板１５及びフラップ１０を夫々折れ線２２，２４，２８沿いに内側へ直角に折り返すと共に鍔板７，９を折れ線２５，２７沿いに外側へ直角に折り返した時に、対向する鍔板７，９のうち一方の鍔板７の端縁７ａが他方の鍔板９の端部側縁９ａに当接して、この当接状態で図３に示すように双方の鍔板７，９の対向端部上面に亘って片面粘着テープ３０（接着部材）が接着されるようになっている（図３参照）。
【００２５】
また、この平面状Ｘ線防護カバー部材１１Ａの側板１３には、図３に示すアウトレットボックス１の側壁３に設けられた所要の配線用ホース貫通孔２０に合致する位置にその貫通孔２０と同じ大きさの貫通孔表示部（円形マーク）１７が表示されている。この貫通孔表示部１７は、設置現場で箱状のＸ線防護カバーに組み立てる際に、孔開け工具によってアウトレットボックス１側の所要の配線用ホース貫通孔２０と合致する貫通孔を穿孔するためのもので、側板１３の内面側又は外面側の何れかに表示してもよいし、両面側に表示してもよい。
【００２６】
図３には、上記のような構成よりなる平板状Ｘ線防護カバー部材１１Ａを箱状に組み立てた状態のＸ線防護カバー２１Ａと、この箱状Ｘ線防護カバー２１Ａに嵌め込まれるアウトレットボックス１を示す。平板状Ｘ線防護カバー部材１１Ａを箱状に組み立てるには、図１に示す状態から、背面板１２の両側縁にある折れ線２２，２２及び下端縁にある折れ線２４に沿って左右側板１３及び下側板１５を夫々内側へ直角に折り返し、各フラップ１０を夫々折れ線２８沿いに内側へ直角に折り返して、このフラップ１０内面に接着されている両面粘着テープ２９の剥離紙２９ｃを剥がした状態で左右各側板１３の外面に当接させることにより各フラップ１０を各側板１３に接着し、更に各鍔板７，９を折れ線２５，２７沿いに外側へ直角に折り返して、一方の鍔板７の端縁７ａを他方の鍔板９の端部側縁９ａに当接して、対向する鍔板７，９の対向端部どうしを面一状態とし、この状態で鍔板７，９の対向端部上面に亘って片面粘着テープ３０（接着部材）を接着することにより、図３に示すような箱状のＸ線防護カバー２１Ａを形成する。
【００２７】
この図３に示す箱状Ｘ線防護カバー２１Ａの状態で、側板１３に表示してある貫通孔表示部１７に沿って、孔開け工具により、アウトレットボックス１側の所要の配線用ホース貫通孔２０と合致する貫通孔３２を穿孔する。尚、この穿設作業は、箱状のＸ線防護カバー２１Ａに組み立てる前の平板状Ｘ線防護カバー部材１１Ａの状態で行ってもよいが、いずれにしても、アウトレットボックス１の設置現場において行う。尚、図３には、配線用ホース１８の端部をＸ線防護カバー２１Ａに側板１３に穿孔した貫通孔３２からアウトレットボックス１の側壁３の配線用ホース貫通孔２０に挿通させた状態を仮想線で示している。
【００２８】
以上、図１〜図３によって説明したような平板状Ｘ線防護カバー部材１１Ａによれば、このカバー部材１１Ａを車に積んで運搬したり、倉庫等に保管する時には、この平板状のまま多数枚積み重ねても、変形したり、荷崩れすることがなく、積載効率、保管効率が非常に良好となり、そしてアウトレットボックス１の設置現場での組立ても簡単容易に行うことができる。
【００２９】
この平板状Ｘ線防護カバー部材１１Ａを示す図１の実施形態では、フラップ１０を、下側板１５の左右端縁に沿った折れ線を介して連設しているが、左右各側板１３の下端縁に沿って連設してもよい。その場合、フラップ１０は、下側板１５の外面に接着されることになる。またこの実施形態では、側板１３側の鍔板７を当該側板１３の長さと同一にし、下側板１５側の鍔板９を当該側板１５の長さより略鍔板９の幅分だけ両端縁から突出するように形成して、鍔板７の端部の端縁７ａを鍔板９の端部の側縁９ａに当接させるようにしているが、これと反対に、下側板１５側の鍔板９を当該側板１５の長さと同一にし、左右側板１３側の鍔板７を当該側板１３の長さより略鍔板７の幅分だけ両端縁から突出するように形成して、鍔板９の端部の端縁を鍔板７の端部の側縁に当接させてもよい。
【００３０】
また、この平板状Ｘ線防護カバー部材１１Ａを図３に示すような箱状のＸ線防護カバー２１Ａに組み立てて使用する場合は、図３に示すように下側板１５が下向きで、上部側が開口した状態での使用に限らず、この図３に示す状態とは上下を逆にした倒置状態、あるいは左右側板１３，１３側が上下に位置するような使用形態でもよい。
【００３１】
また上述した平板状Ｘ線防護カバー部材１１Ａによれば、箱状Ｘ線防護カバー２１Ａに組み立てる際に、対向する一方の鍔板７の端部の端縁７ａが他方の鍔板９の端部の側縁９ａに当接した状態で双方の鍔板７，９の対向端部に亘って接着部材３０を接着することにより、左右側板１３，１３の鍔板７，７と下側板１５の鍔板９との３つの鍔板７，７，９をコ字状に連続させることができると共に、それらを面一状に保持することができる。
【００３２】
また、側板１３，１５の何れかに、アウトレットボックス１の側壁３，５に設けられた配線用ホース貫通孔２０に合致する位置に貫通孔表示部１７を設けておくことによって、設置現場において、アウトレットボックス１の配線用ホース貫通孔２０に対応する所要の貫通孔３２を側板１３，１５に容易に開口することができる。
【００３３】
図４は、本発明の他の実施形態による平板状Ｘ線防護カバー部材１１Ｂを示すもので、図１に示す平板状Ｘ線防護カバー部材１１Ａとほとんど同様であるが、背面板１２、左右各側板１３、下側板１５、鍔板７，９及びフラップ１０に、夫々の外面側に膨出し、その内面側凹むような補強リブ１９を左右方向及び又は上下方向に条設した点のみが異なっている。他の構成については、図１に示す平板状Ｘ線防護カバー部材１１Ａと同じであるから、同一部材には同一符号を付して説明を省略する。この図４に示す平板状Ｘ線防護カバー部材１１Ｂを箱状に組み立てると、平板状Ｘ線防護カバー部材１１Ａと同じく、図３に示す箱状Ｘ線防護カバー２１Ａと同じ形態となるため、図３には平板状Ｘ線防護カバー部材１１Ｂを箱状に組み立てた箱状Ｘ線防護カバーを２１Ｂで示す。
【００３４】
平板状Ｘ線防護カバー部材を形成する鉛板は、板厚が２ｍｍ程度でも柔らかく変形し易いため、側板１３等を折り返す時に折れ線２２等以外の部分まで不都合に折れ曲がってしまうことがあるが、上記のような補強リブ１９を条設することにより、必要な板部のみを的確に折り返すことができるようになる。尚、補強リブ１９は、比較的面積の広い背面板１２、左右側板１３及び下側板１５に設ければよい。また、この補強リブ１９は、背面板１２、左右各側板１３、下側板１５及びフラップ１０の夫々外面側に膨出し、その内面側凹むようなリブであるから、箱状のＸ線防護カバー２１Ａ内にアウトレットボックス１を嵌め込む際に支障を来さず、そのアウトレットボックス１を密嵌状態に嵌合できる。
【００３５】
図５は、本発明のさらに他の実施形態による平板状Ｘ線防護カバー部材１１Ｃを示す。このＸ線防護カバー部材１１Ｃは、アウトレットボックス１の四周壁（左右側壁３，３及び上下側壁４，５）を覆うタイプのカバー部材で、アウトレットボックス１の背面壁２を覆う背面板１２と、この背面板１２の左右側縁に沿った折れ線２２，２２を介して連設され、アウトレットボックス１の左右側壁３，３を覆う左右側板１３，１３と、背面板１２の上下端縁に沿った折れ線２３，２４を介して連設され、アウトレットボックス１の上下側壁４，５を覆う上下側板１４，１５と、左右各側板１３の外側縁及び上下各側板１４，１５の上下各端縁に夫々沿った折れ線２５，２６，２７を介して連設された鍔板７，８，９と、上下各側板１４，１５の左右端縁に沿った折れ線２８，２８を介して夫々連設されたフラップ１０，１０とからなり、各フラップ１０の内面には、左右各側板１３、上下側板１４，１５及び各フラップ１０を夫々折れ線２２，２３，２４，２８沿いに内側へ直角に折り返すと共に鍔板７，８，９を夫々折れ線２５，２６，２７沿いに外側へ直角に折り返して図６に示すような箱状Ｘ線防護カバー２１Ｃを形成する時に、各フラップ１０を左右各側板１３の外面に接着させる両面粘着テープ２９（接着部材）が貼着されている。
【００３６】
この平板状Ｘ線防護カバー部材１１Ｃの場合も、背面板１２、左右各側板１３、上下各側板１４，１５及び各鍔板７，８，９に、夫々の外面側に膨出し、その内面側凹むような補強リブ１９（図４の(b) 参照）が左右方向及び又は上下方向に条設されている。また、折れ線２２，２３，２４，２５，２６，２７，２８については、前述した平板状Ｘ線防護カバー部材１１Ａの場合と同じである。
【００３７】
また図５に示すように、左右各側板１３の鍔板７はその長さが側板１３の長さと同じであるが、上下各側板１４，１５の鍔板８，９はその長さが上下各側板１４，１５の長さより略鍔板８，９の幅分だけ両端縁から夫々突出するように形成されていて、左右側板１３、上下側板１４，１５及び各フラップ１０を夫々折れ線２２，２３，２４，２８沿いに内側へ直角に折り返すと共に、鍔板７，８，９を折れ線２５，２６，２７沿いに外側へ直角に折り返して図６に示すような箱状に組み立てる時に、互いに対向する鍔板７，８，９のうち一方の鍔板７の端縁７ａが他方の鍔板８の端部側縁８ａに当接し、また一方の鍔板７の端縁７ａが他方の鍔板９の端部側縁９ａに当接し、この当接状態で図６に示すように互いに対向する鍔板７，８及び７，９の対向端部上面に亘って片面粘着テープ３０（接着部材）が接着されるようになっている（図６参照）。
【００３８】
図６は、上記のような構成の平板状Ｘ線防護カバー部材１１Ｃを箱状に組み立てた状態のＸ線防護カバー２１Ｃを示すものである。図５に示す平板状Ｘ線防護カバー部材１１Ｃを箱状に組み立てるには、図５に示す状態から、背面板１２の両側縁にある折れ線２２，２２及び上下端縁にある折れ線２３，２４に沿って左右側板１３，１３及び上下側板１４，１５を夫々内側へ直角に折り返し、各フラップ１０を、夫々折れ線２８沿いに内側へ直角に折り返して左右各側板１３の外面に当接させた状態で両面粘着テープ２９で接着し、さらに各鍔板７，８，９を折れ線２５，２６，２７沿いに外側へ直角に折り返す。そして鍔板７，８の対向端部間において、鍔板７の端縁７ａを鍔板８の端部側縁８ａに当接させて鍔板７，８の対向端部どうしを面一状態とし、この状態で鍔板７，８の対向端部上面に亘って片面粘着テープ３０（接着部材）を接着し、また鍔板７，９の対向端部間において、鍔板７の端縁７ａを鍔板９の端部側縁９ａに当接させて鍔板７，９の対向端部どうしを面一とした状態で鍔板７，９の対向端部上面に亘って片面粘着テープ３０を接着しすることにより、図５に示すような箱状のＸ線防護カバー２１Ａを形成することができる。
【００３９】
また、この平面状Ｘ線防護カバー部材１１Ｃでは例えば片方の側板１３と下側板１５に貫通孔表示部１７が表示されているが、この貫通孔表示部１７は、設置現場で箱状のＸ線防護カバーに組み立てる際に、アウトレットボックス１側の所要の配線用ホース貫通孔２０に対応するものを孔開け工具によって開口する。図６には、その開口した貫通孔を３２で示す。この場合、貫通孔表示部１７に孔開け工具を合わせて開口すればよいから、貫通孔３２を正確に容易に開口することができる。
【００４０】
図５及び図６によって説明したような平板状Ｘ線防護カバー部材１１Ｃによれば、このカバー部材１１Ｃを車に積んで運搬したり、倉庫等に保管する時には、この平板状のまま多数枚積み重ねても、変形したり、荷崩れすることがなく、積載効率、保管効率が非常に良好となり、そしてアウトレットボックス１の設置現場での組立ても簡単容易に行うことができる。
【００４１】
図５に示す平板状Ｘ線防護カバー部材１１Ｃの実施形態では、フラップ１０を、上下側板１４，１５の左右端縁に沿った折れ線２８を介して連設しているが、左右各側板１３の上下端縁に沿って連設してもよい。その場合、フラップ１０は、上下各側板１４，１５の外面に接着される。またこの実施形態では、側板１３側の鍔板７を当該側板１３の長さと同一にし、上下側板１４，１５側の鍔板８，９を当該側板１４，１５の長さより略鍔板８，９の幅分だけ両端縁から突出するように形成して、各鍔板７の端部の端縁７ａを鍔板８ ，９の端部の側縁８ａ，９ａに当接させるようにしているが、これと反対に、上下側板１４，１５側の鍔板８，９を当該側板１４，１５の長さと同一にし、左右各側板１３側の鍔板７を当該側板１３の長さより略鍔板７の幅分だけ両端縁から突出するように形成し、鍔板８，９の端縁を鍔板７の上下端部の側縁に当接させてもよい。
【００４２】
また上述した平板状Ｘ線防護カバー部材１１Ｃによれば、これを図６に示すような箱状Ｘ線防護カバー２１Ａに組み立てる際に、対向する一方の鍔板７の端部の端縁７ａが他方の鍔板８，９の端部の側縁８ａ，９ａに当接し、この当接状態で双方の鍔板７と８，９の対向端部に亘って接着部材３０を接着することにより、左右側板１３，１３の鍔板７，７及び上下側板１４，１５の鍔板８，９の４つの鍔板７，７，８，９を方形枠状に隙間無く連続させることができると共に、それらを面一状に保持することができる。
【符号の説明】
【００４３】
１            アウトレットボックス
２            背面壁
３            左右側壁
４，５        上下側壁
７，８，９    鍔板
１０          フラップ
１１Ａ        平板状のＸ線防護カバー部材
１１Ｂ        平板状のＸ線防護カバー部材
１１Ｃ        平板状のＸ線防護カバー部材
１２          背面板
１３          左右側板
１４，１５    上下側板
１７          貫通孔表示部
２１Ａ        箱状Ｘ線防護カバー
２１Ｂ        箱状Ｘ線防護カバー
２１Ｃ        箱状Ｘ線防護カバー
２２，２３    折れ線
２４，２５    折れ線
２６，２７    折れ線
２８          折れ線
２９          接着部材
３０          接着部材
【図１】
0005491444.tif 000002
【図２】
0005491444.tif 000003
【図３】
0005491444.tif 000004
【図４】
0005491444.tif 000005
【図５】
0005491444.tif 000006
【図６】
0005491444.tif 000007
【図７】
0005491444.tif 000008